【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
カラー画像と、前記カラー画像の撮影条件とを入力する入力手段と、記憶手段に記憶された複数のプロファイルから前記撮影条件に応じたプロファイルを選択する選択手段と、選択されたプロファイルに基づき前記入力カラー画像に色合わせ処理を施す処理手段とを有することを特徴とする画像処理装置。
【請求項２】
前記撮影条件は、前記入力カラー画像の撮影時における照明光の色を表す情報であることを特徴とする請求項1に記載された画像処理装置。
【請求項３】
前記複数のプロファイルはそれぞれ異なる代表的な撮影条件に基づいて作成されたものであり、前記選択手段は、前記撮影条件に最も近い代表的な撮影条件に基づいて作成されたプロファイルを選択することを特徴とする請求項1または請求項2に記載された画像処理装置。
【請求項４】
前記複数のプロファイルはそれぞれ異なる代表的な撮影条件において撮影された画像に基づいて作成されたものであり、前記選択手段は、前記撮影条件に最も近い代表的な撮影条件で撮影された画像に基づいて作成されたプロファイルを選択することを特徴とする請求項1または請求項2に記載された画像処理装置。
【請求項５】
前記選択手段は、前記記憶手段に格納された複数のプロファイルに対応する撮影条件の関係を示すテーブルを有し、前記テーブルにより前記入力カラー画像の撮影条件に対応するプロファイルを選択することを特徴とする請求項1から請求項4の何れかに記載された画像処理装置。
【請求項６】
前記選択手段は、さらに、前記入力カラー画像を出力するデバイスに対応するプロファイルを選択し、前記処理手段は、前記撮影条件に応じて選択されたプロファイルおよび前記デバイスに対応するプロファイルに基づき前記色合わせ処理を行うことを特徴とする請求項1から請求項5の何れかに記載された画像処理装置。
【請求項７】
カラー画像と、前記カラー画像の撮影条件とを入力し、記憶手段に記憶された複数のプロファイルから前記撮影条件に応じたプロファイルを選択し、選択されたプロファイルに基づき前記入力カラー画像に色合わせ処理を施すことを特徴とする画像処理方法。
【請求項８】
前記撮影条件は、前記入力カラー画像の撮影時における照明光の色を表す情報であることを特徴とする請求項7に記載された画像処理方法。
【請求項９】
前記複数のプロファイルはそれぞれ異なる代表的な撮影条件に基づいて作成されたものであり、前記選択ステップは、前記撮影条件に最も近い代表的な撮影条件に基づいて作成されたプロファイルを選択することを特徴とする請求項7または請求項8に記載された画像処理方法。
【請求項１０】
前記複数のプロファイルはそれぞれ異なる代表的な撮影条件において撮影された画像に基づいて作成されたものであり、前記選択ステップは、前記撮影条件に最も近い代表的な撮影条件で撮影された画像に基づいて作成されたプロファイルを選択することを特徴とする請求項7または請求項8に記載された画像処理方法。
【請求項１１】
前記選択ステップは、前記記憶手段に格納された複数のプロファイルに対応する撮影条件の関係を示すテーブルに基づき、前記テーブルにより前記入力カラー画像の撮影条件に対応するプロファイルを選択することを特徴とする請求項7から請求項10の何れかに記載された画像処理方法。
【請求項１２】
前記選択ステップは、さらに、前記入力カラー画像を出力するデバイスに対応するプロファイルを選択し、前記処理ステップは、前記撮影条件に応じて選択されたプロファイルおよび前記デバイスに対応するプロファイルに基づき前記色合わせ処理を行うことを特徴とする請求項7から請求項11の何れかに記載された画像処理方法。
【請求項１３】
画像処理のプログラムコードが記録された記録媒体であって、カラー画像と、前記カラー画像の撮影条件とを入力する入力ステップのコードと、記憶手段に記憶された複数のプロファイルから前記撮影条件に応じたプロファイルを選択する選択ステップのコードと、選択されたプロファイルに基づき前記入力画像に色合わせ処理を施す処理ステップのコードとを有することを特徴とする記録媒体。
【請求項１４】
撮影されたカラー画像と、前記カラー画像の撮影条件とを入力する入力手段と、記憶手段に記憶された複数のプロファイルから前記撮影条件に応じたプロファイルを選択する選択手段と、前記入力カラー画像とともに、選択されたプロファイルを媒体に記憶させる処理手段とを有することを特徴とする画像処理装置。
【請求項１５】
前記撮影条件は、前記入力カラー画像の撮影時における照明光の色を表す情報であることを特徴とする請求項14に記載された画像処理装置。
【請求項１６】
前記複数のプロファイルはそれぞれ異なる代表的な撮影条件に基づいて作成されたものであり、前記選択手段は、前記撮影条件に最も近い代表的な撮影条件に基づいて作成されたプロファイルを選択することを特徴とする請求項14または請求項15に記載された画像処理装置。
【請求項１７】
前記複数のプロファイルはそれぞれ異なる代表的な撮影条件において撮影された画像に基づいて作成されたものであり、前記選択手段は、前記撮影条件に最も近い代表的な撮影条件で撮影された画像に基づいて作成されたプロファイルを選択することを特徴とする請求項14または請求項15に記載された画像処理装置。
【請求項１８】
前記選択手段は、前記記憶手段に格納された複数のプロファイルに対応する撮影条件の関係を示すテーブルを有し、前記テーブルにより前記入力カラー画像の撮影条件に対応するプロファイルを選択することを特徴とする請求項14から請求項17の何れかに記載された画像処理装置。
【請求項１９】
撮影されたカラー画像と、前記カラー画像の撮影条件とを入力し、記憶手段に記憶された複数のプロファイルから前記撮影条件に応じたプロファイルを選択し、前記入力カラー画像とともに、選択されたプロファイルを媒体に記憶させることを特徴とする画像処理方法。
【請求項２０】
前記撮影条件は、前記入力カラー画像の撮影時における照明光の色を表す情報であることを特徴とする請求項19に記載された画像処理方法。
【請求項２１】
前記複数のプロファイルはそれぞれ異なる代表的な撮影条件に基づいて作成されたものであり、前記選択ステップは、前記撮影条件に最も近い代表的な撮影条件に基づいて作成されたプロファイルを選択することを特徴とする請求項19または請求項20に記載された画像処理方法。
【請求項２２】
前記複数のプロファイルはそれぞれ異なる代表的な撮影条件において撮影された画像に基づいて作成されたものであり、前記選択ステップは、前記撮影条件に最も近い代表的な撮影条件で撮影された画像に基づいて作成されたプロファイルを選択することを特徴とする請求項19または請求項20に記載された画像処理方法。
【請求項２３】
前記選択ステップは、前記記憶手段に格納された複数のプロファイルに対応する撮影条件の関係を示すテーブルに基づき、前記テーブルにより前記入力カラー画像の撮影条件に対応するプロファイルを選択することを特徴とする請求項19から請求項22の何れかに記載された画像処理方法。
【請求項２４】
画像処理のプログラムコードが記録された記録媒体であって、撮影されたカラー画像と、前記カラー画像の撮影条件とを入力する入力ステップのコードと、記憶手段に記憶された複数のプロファイルから前記撮影条件に応じたプロファイルを選択する選択ステップのコードと、前記入力画像とともに、選択されたプロファイルを媒体に記憶させる処理ステップのコードとを有することを特徴とする記録媒体。